(57)【要約】【課題】  この発明は、ガス元栓を開閉するハンドルを元栓の閉位置で拘束するロック部材と、該ロック部材に施錠するシリンダ錠とからなるガス元栓封印装置に関する。【解決手段】ガス元栓が、ハンドルと一体となって回転する盤体と、該盤体を回転可能に支持する元栓本体と、該元栓本体の側部に形成されたロック用の貫通孔を有しており、ロック部材が、前記貫通孔に挿通するロックピンを中途位置に固設した第１ロック片と、該第１ロック片に枢着されて、ロック部材閉位置で前記ハンドルの突出部分に外嵌して拘束しうる断面略ボックス状の枠体を形成する第２ロック片部からなり、該第２ロック片は、前記閉位置で前記ロックピンの先端を受け入れる受孔を有し、前記第１ロック片と第２ロック片に、前記ロック部材閉位置で重なる一対の貫通孔がそれぞれ形成されており、該貫通孔にシリンダ錠を施錠して前記閉位置をロックしうることを特徴とする。ことを特徴とする。【選択図】  図１
2007078034.tif 000002
【特許請求の範囲】
【請求項１】
ガス元栓を開閉するハンドルを元栓の閉位置で拘束するロック部材と、該ロック部材に施錠するシリンダ錠とからなるガス元栓封印装置において、
ガス元栓が、ハンドルと一体となって回転する盤体と、該盤体を回転可能に支持する元栓本体と、該元栓本体の側部に形成されたロック用の貫通孔とを有しており、
ロック部材が、前記貫通孔に挿通するロックピンを中途位置に固設した第１ロック片と、該第１ロック片に枢着されて、ロック部材閉位置で前記ハンドルの突出部分に外嵌して拘束しうる断面略ボックス状の枠体を形成する第２ロック片とからなり、
該第２ロック片には、前記閉位置で前記ロックピンの先端を受け入れる受孔を有しており、
前記第１ロック片と第２ロック片に、前記ロック部材閉位置で重なる一対の貫通孔がそれぞれ形成されており、該貫通孔にシリンダ錠を施錠して前記閉位置をロックしうることを特徴とするガス元栓封印装置。
【請求項２】
第１ロック片が、扁平なプレートからなって基端両側に一対のブラケットを突設しており、第２ロック片の基端を枢着して開閉可能となっており、第１ロック片と第２ロック片がロック部材閉位置で先端が重なるように外方に延びる整合片部を有しており、各整合片部に一対の貫通孔がそれぞれ穿設されていることを特徴とする請求項１に記載のガス元栓封印装置。
【請求項３】
シリンダ錠が多段ダイヤル式シリンダ錠からなっており、ロック部材にワイヤを介して接続されていることを特徴とする請求項１に記載のガス元栓封印装置。
【請求項４】
ガス元栓を開閉するハンドルを元栓の閉位置で拘束するロック部材と、該ロック部材に施錠するシリンダ錠とからなるガス元栓封印装置において、
ガス元栓が、ハンドルと一体となって回転する盤体と、該盤体を回転可能に支持する元栓本体と、該元栓本体の側部から一体に外方へ突出するロック部材と、該ロック部材に形成されて上下に貫通する第１貫通孔とを有しており、
前記ハンドルの突出部分に前記ロック部材と衝合する整合突片部が形成されており、
該整合突片部に上下に穿設されて元栓閉位置で前記第１貫通孔と整合し連通する第２貫通孔が形成されており、
上記第１貫通孔と第２貫通孔とを重ねて整合した状態でシリンダ錠を施錠して前記元栓閉位置をロックしうることを特徴とするガス元栓封印装置。
【発明の詳細な説明】
【技術分野】
【０００１】
この発明は、ガスの元栓を閉じてハンドルをロックすることにより、ガス事業者に無断でガスを使用できないようにするガス元栓封印装置に関する。
【背景技術】
【０００２】
従来、ガスの元栓を閉じる構成としては、元栓本体の左右側方に形成された小孔にワイヤを通し、そのワイヤでガス元栓開閉用のハンドルに巻き付けてハンドルが動かないように固定していた。
しかし、上記構成ではハンドルに巻き付けたワイヤを解けば、ハンドルを動かすことができるので、効果的な封印とはならないし、再使用時に手間がかかるという欠点がある。
そこで、実開平３−５３６９１号に見られるように、ガス元栓の固定具とシリンダ錠を用いて元栓の摘みが動かないようにした構成が開示されているが、固定具でガス元栓の外周を囲む必要があり構造が大型化してしまう欠点がある。
また、拘束する摘みは円盤状であって杆状の操作ハンドルによってガス栓を開閉する形式の元栓には適用できない。
また、特開平９−１１９５５８号のガス栓及びガス栓の封印装置では、ガス栓に封印装置を内蔵する構成からなっており、既存の元栓に適用することができず、元栓の交換が必要となり、また構造が複雑化するという問題点があった。
【特許文献１】実開平３−５３６９１号
【特許文献２】特開平９−１１９５５８号
【発明の開示】
【発明が解決しようとする課題】
【０００３】
この発明は上記実情に鑑みてなされたもので、その主たる課題は、簡単な構成からなりシリンダ錠を外せば簡単に元栓を再使用することができるようにしたガス元栓封印装置を提供することにある。
この発明の別の課題は、既存の元栓に適用することができるガス元栓封印装置を提供することにある。
【課題を解決するための手段】
【０００４】
上記課題を解決するために、請求項１の発明では、
ガス元栓を開閉するハンドルを元栓の閉位置で拘束するロック部材と、該ロック部材に施錠するシリンダ錠とからなるガス元栓封印装置において、
ガス元栓が、ハンドルと一体となって回転する盤体と、該盤体を回転可能に支持する元栓本体と、該元栓本体の側部に形成されたロック用の貫通孔とを有しており、
ロック部材が、前記貫通孔に挿通するロックピンを中途位置に固設した第１ロック片と、該第１ロック片に枢着されて、ロック部材閉位置で前記ハンドルの突出部分に外嵌して拘束しうる断面略ボックス状の枠体を形成する第２ロック片とからなり、
該第２ロック片には、前記閉位置で前記ロックピンの先端を受け入れる受孔を有しており、
前記第１ロック片と第２ロック片に、前記ロック部材閉位置で重なる一対の貫通孔がそれぞれ形成されており、該貫通孔にシリンダ錠を施錠して前記閉位置をロックしうることを特徴とする。
また、請求項２の発明では、
前記第１ロック片が、扁平なプレートからなって基端両側に一対のブラケットを突設しており、第２ロック片の基端を枢着して開閉可能となっており、第１ロック片と第２ロック片がロック部材閉位置で先端が重なるように外方に延びる整合片部を有しており、各整合片部に一対の貫通孔がそれぞれ穿設されていることを特徴とする。
請求項３の発明では、
前記シリンダ錠が多段ダイヤル式シリンダ錠からなっており、ロック部材にワイヤを介して接続されていることを特徴とする。
【０００５】
次に、請求項４の発明では、
ガス元栓を開閉するハンドルを元栓の閉位置で拘束するロック部材と、該ロック部材に施錠するシリンダ錠とからなるガス元栓封印装置において、
ガス元栓が、ハンドルと一体となって回転する盤体と、該盤体を回転可能に支持する元栓本体と、該元栓本体の側部から一体に外方へ突出するロック部材と、該ロック部材に形成されて上下に貫通する第１貫通孔とを有しており、
前記ハンドルの突出部分に前記ロック部材と衝合する整合突片部が形成されており、
該整合突片部に上下に穿設されて元栓閉位置で前記第１貫通孔と整合し連通する第２貫通孔が形成されており、
上記第１貫通孔と第２貫通孔とを重ねて整合した状態でシリンダ錠を施錠して前記元栓閉位置をロックしうることを特徴とする。
【発明の効果】
【０００６】
この発明は上記のように、ロック部材が断面ボックス状の枠体となってロックピンで元栓本体に固定され、操作用のハンドルに外嵌することでハンドルの動きを拘束し、更にシリンダ錠で施錠することで、確実に封印を行うことができる。
また、シリンダ錠を解錠してロック部材を開放すれば、簡単に誰でも短時間で封印を解くことができる。
また、ロック部材を元栓内に内蔵せず、外側でロック乃至ロック解除しうるようにしたので操作しやすく、また簡単な構成からなるので廉価であり、且つ信頼性も高い。
【発明を実施するための最良の形態】
【０００７】
以下に、この発明のガス元栓封印装置の実施の形態について図面を参照しながら説明する。
【実施例１】
【０００８】
図１および図２に示すガス元栓封印装置１は、ガス元栓１１のハンドル１５を拘束する枠体からなるロック部材２と、該ロック部材２を施錠するシリンダ錠２０とからなっている。
ここで、ガス元栓１１は、図３に示すように操作用のハンドル１５と一体となって回転する盤体１２と、該盤体１２を回転可能に支持する元栓本体１３と、該元栓本体１３の側部に形成されてワイヤなどを通すことができるロック用の貫通小孔１４とを有する公知の構成からなっている。
【０００９】
［ロック部材］  
ロック部材２は、前記貫通孔１４に挿通するロックピン４を中途位置に固設した第１ロック片３と、該第１ロック片３に枢着Ｐ１されて、ロック部材閉位置で前記ハンドル１５の突出部分１５ａに外嵌して拘束しうる断面略ボックス状の枠体を形成する第２ロック片７とからなっている。
【００１０】
［第１ロック片］
第１ロック片３は、本実施例の場合、図２に示すように、平面から見て略く字状に曲がる扁平なプレートからなっており、その先端が略直角に折れ曲がって第１整合片部３１となっている。
そして、第１整合片部３１には、第１貫通孔３２が穿設されている。
また、前記プレートの基端両側には一対のブラケット３３、３３を突設している。
このブラケット３３、３３には、第２ロック片７の基端が枢軸Ｐ１によって枢着されている。
【００１１】
［ロックピン］
前記第１ロック片３の中途位置には、図２に明らかなように、第１ロック片３の屈曲方向へ突出する突片部５が形成されており、該突片部５にロックピン４の頭部側が一体に固定されている。
このロックピン４は、前記元栓本体１３の貫通小孔１４に貫挿可能な太さと長さに設定されている。
【００１２】
［第２ロック片］
第２ロック片７は、平面から見て略く字状に曲がる扁平なプレートからなり、その先端が前記第１整合片部３１の外側に重なるように同一角度で折れ曲がった第２整合片部７１が形成されている。
そして、第２整合片部７１には、ロック部材閉位置で前記第１貫通孔３２と連通可能に整合する位置に第２貫通孔７２が穿設されている。
【００１３】
これによりロック部材２は、前記第１ロック片３と第２ロック片７とを閉じたロック部材閉位置にて略断面ボックス状の枠体を形成することができる。
また、ロック部材閉位置にて前記第１貫通孔３２と第２貫通孔７２とにシリンダ錠２０のＵ字状の錠杆２１を挿入して施錠を行い、ロック部材２を閉位置にてロックして固定された枠体とする。
【００１４】
また、前記第２ロック片７の中途位置には、第１ロック片３の突片部５と対峙する受片部８が形成されており、該受片部８に前記ロックピン４の先端を貫挿する受孔９が形成されている。
これにより、ロック部材閉位置で、貫通小孔１４を貫挿して抜け出たロックピン４の先端が、第２ロック片７の受孔９に挿入され、ロック部材２を元栓本体１３に固定することができる。
【００１５】
また、このように位置決めされたロック部材２は、前記シリンダ錠２０によりロックされた枠体となり、前記ハンドル１５の突出部分１５ａに外嵌して、ハンドル１５の動きを元栓閉位置に拘束することができる。
【００１６】
［シリンダ錠］
シリンダ錠２０は、図示例では３連のダイヤル式シリンダ錠からなっている。
そして、ロック部材２とシリンダ錠２０との間にはワイヤＷが架け渡されているので、シリンダ錠２０を外した場合にもシリンダ錠２０を紛失するおそれがない。
図中、２５はシリンダ錠２０の底面にネジ止めされる取付金具であり、前記ワイヤＷの中途個所を挿通している。
【００１７】
上記構成からなっているので、この装置１では、図４に示すように、ロック部材２を元栓１１の側面で操作用のハンドル１５に嵌め込むように置いて、一方、例えば第２ロック片７を開いておき、第１ロック片２のロックピン４を元栓１１の貫通小孔１４に差し込んでおく。
ロックピン４は貫通小孔１４を通り抜けて第２ロック片７の受孔９に貫挿して、拘束される。
【００１８】
そして、ロック部材２の第１貫通孔３２と第２貫通孔７２とを整合して、シリンダ錠２０の錠杆２１を通して施錠することでロック部材２を閉位置でロックする。
これにより、前記ハンドル１５は、元栓本体１３に固定されたロック部材２によってガス栓を閉めた位置に固定されるので、確実に封印をすることができる。
【００１９】
本実施例では、元栓本体１３の左右に貫通小孔１４が形成されているので、ロック部材２は、図２に示すように左右どちらにも取り付けることができ、ガス元栓１１の配置場所に応じてロック部材２を取り付けることができる。
【００２０】
また、元栓を開いて再使用する場合には、シリンダ錠２０の解錠番号（本実施では３桁の数字）を通知することで、シリンダ錠２０を解錠してロック部材２を開くことができ、ロックピン４を貫通小孔１４から引き抜けばよく、これによりハンドル１５を簡単且つ迅速に操作することができる。
【実施例２】
【００２１】
次に、図６〜図８に示すガス元栓封印装置１は、別体のロック部材を設けずにガス元栓１１にロック部材２を一体に設けた場合の異なる実施例を示す。
このロック部材２は、元栓本体１３の側部から外方へ突出しており、元栓の閉位置でハンドル１５と衝合可能な位置に形成されている。
このロック部材２は、後述のハンドル本体１５Ａの約半分の縦幅に設定されている。
また、ロック部材２には、上下に貫通する第１貫通孔Ｈ１が穿設されている。
【００２２】
一方、ハンドル１５の先端の突出部分には、前記ロック部材２と衝合する整合突片部１６が形成されている。
この整合突片部１６は、ハンドル本体の約半分の縦幅で元栓本体１３の側面側に突出している。
そして、整合突片部１６には、前記第１貫通孔Ｈ１と連通可能な第２貫通孔が穿設されている。
【００２３】
上記構成からなっているので、元栓を閉めると元栓閉位置でハンドル１５の整合突片部１６がロック部材２と衝合する。
この閉位置で、ロック部材２の第１貫通孔Ｈ１と整合突片部１６の第２貫通孔Ｈ２とが同軸線上に整合するので、シリンダ錠２０の錠杆２１を第１貫通孔Ｈ１から第２貫通孔Ｈ２に通して施錠する。
【００２４】
シリンダ錠２０によってロック部材２と整合突片部１６とが固定されるので、ハンドル１５は元栓閉位置で動かず、元栓を封印することができる。
封印を解放するには、上記シリンダ錠２０を解錠して整合突片部１６の拘束を解くことで、ハンドル１５を操作して元栓を開くことができる。
【００２５】
この発明は、上記実施例に限定されるものではなく、ロック部材の断面形状は矩形に限らず楕円形状その他のハンドルを拘束可能な形状であればよい。
その他、要するにこの発明の要旨を変更しない範囲で種々設計変更しうること勿論である。
【図面の簡単な説明】
【００２６】
【図１】実施例１のガス元栓封印装置を側面から見た説明図である。
【図２】（ａ）はガス元栓封印装置を元栓の右側に装着した平面図、（ｂ）は左側に装着した平面図である。
【図３】ガス元栓の斜視図である。（実施例１）
【図４】ガス元栓封印装置の使用状態を示す側面図である。
【図５】使用状態を示す斜視図である。
【図６】実施例２のガス元栓封印装置の平面図である。
【図７】同正面図である。
【図８】同側面図である。
【符号の説明】
【００２７】
１    ガス元栓封印装置
２    ロック部材
３    第１ロック片
４    ロックピン
５    突片部
７    第２ロック片
８    受片部
９    受孔
１１    ガス元栓
１２    盤体
１３    元栓本体
１４    ロック用の貫通小孔
１５    ハンドル
１６    整合突片部
２０    シリンダ錠
【図１】
2007078034.tif 000003
【図２】
2007078034.tif 000004
【図３】
2007078034.tif 000005
【図４】
2007078034.tif 000006
【図５】
2007078034.tif 000007
【図６】
2007078034.tif 000008
【図７】
2007078034.tif 000009
【図８】
2007078034.tif 000010